(57)【要約】【課題】外気温度の変化にともなう竪樋の伸縮を安定に吸収し、伸縮筒部の経時的な劣化を抑え、施工外観を良好にすることのできる伸縮竪樋継手を提供すること。【解決手段】上下方向に延びる筒状の本体部２の上端付近の内側に内周面５から内側に上側フランジ部６が突設され、上側フランジ部から上端までが上側接続部７とされ、上側フランジ部の下端面から本体部の下端側にかけて本体部内側に上下方向に伸縮可能な伸縮筒部８が配設され、伸縮筒部の下端が、本体部の下端部内側に挿入された内筒部９の外周面１０から外側に突設され、外周側面１３が本体部内周面に摺接する下側フランジ部１１に接続され、内筒部は、伸縮筒部の伸縮をともないながら本体部の内部を上下に摺動可能とされ、内筒部の下側フランジ部から下端までが下側接続部１２とされている。【選択図】図１
2009150127.tif 000002
【特許請求の範囲】
【請求項１】
上下方向に延びる筒状の本体部の上端付近の内側に内周面から内側に向かって上側フランジ部が水平に突設され、上側フランジ部から本体部上端までの内側が上側竪樋との上側接続部とされ、上側フランジ部の下端面から本体部の下端側にかけての本体部内側に上下方向に伸縮可能な伸縮筒部が配設され、本体部の下端部内側に挿入された内筒部の外周面から外側に向かって水平な下側フランジ部が突設され、下側フランジ部の上端面に伸縮筒部の下端が接続され、下側フランジ部の外周側面が本体部の内周面に摺接し、内筒部は、伸縮筒部の上下方向の伸縮をともないながら本体部の内部を上下に摺動可能とされ、内筒部の下側フランジ部から下端までの外側が下側竪樋との下側接続部とされていることを特徴とする伸縮竪樋継手。
【発明の詳細な説明】
【技術分野】
【０００１】
本発明は、上下に配置される２本の竪樋同士を、外気温度の変化にともなう竪樋の伸縮を吸収して上下に接続する伸縮竪樋継手に関する。
【背景技術】
【０００２】
軒樋で受けた雨水を軒下に導き、排水するために、竪樋が軒樋に接続されるが、竪樋は建物の高さ方向に配設されるので、所定長さの複数本が上下に接続されている。上下に配置される２本の竪樋同士の接続には竪樋継手が使用される。
【０００３】
竪樋継手には、従来、各種のものが提供されてきており、本出願人は、上下両端に接続部を有する筒状の継手本体内にごみ取り網を設けるとともに、継手本体の中程に上下方向に伸縮自在な伸縮筒部を形成してなる竪樋継手をこれまでに提案している（特許文献１）。
【０００４】
上記竪樋継手は、さらに詳しくは、継手本体を上筒体と下筒体とに分割して形成し、上筒体の中程部分に伸縮筒部を介設するとともに、上筒体の下端部分に挿入筒部を形成し、下筒体の上端部分に挿入筒部が脱着自在に挿入接続される脱着受け筒部を形成するとともに、下筒体内にごみ取り網を設けたものである。
【０００５】
このような先に提案した竪樋継手は、主として竪樋内を流下する雨水に混入したごみを簡単に除去するために案出されたものであり、伸縮筒部を縮めることによって竪樋継手において上筒体と下筒体とを容易に切り離すことができ、継手本体の上下両端の接続部を竪樋の端部から外すことなく、切り離された開口部分からごみ取り網上に堆積したごみを簡単に除去することを可能にしている。
【特許文献１】実用新案登録第２５４３９０２号公報
【発明の開示】
【発明が解決しようとする課題】
【０００６】
ところで、竪樋継手が上下に接続する竪樋には合成樹脂製のものが汎用されており、特に合成樹脂製の竪樋は、施工容易であるという利点を有する一方で、外気温度の変化にともなって伸縮しやすいという問題がある。
【０００７】
上記竪樋継手は、継手本体の上筒体の中程部分に上下方向に伸縮自在な伸縮筒部を備えているので、伸縮筒部の配設の本来の目的は相違するが、竪樋の伸縮に追随して伸縮筒部は伸縮し、この伸縮によって竪樋の伸縮を吸収することが可能である。したがって、伸縮によって竪樋が竪樋継手から外れてしまう恐れはあまりない。
【０００８】
しかしながら、上記竪樋継手では、伸縮筒部は露出しており、竪樋の伸縮に追随する伸縮が何ものにもガイドされないので、必ずしも上下方向に伸縮するとは限らず、撓み、屈曲などが発生する可能性があり、特に伸縮筒部が軟質の合成樹脂などから形成される場合にはその傾向が強いと考えられる。また、伸縮筒部は、露出していることから風雨、寒暖の変化などに曝されるため、経時的に劣化することが予想され、また、施工外観において伸縮筒部は違和感が否めないという問題もある。
【０００９】
このように、上記竪樋継手には、実現しようとする機能が異なることから当然ではあるが、外気温度の変化にともなう竪樋の伸縮を安定に吸収する、伸縮筒部の経時的な劣化を抑えるおよび施工外観を良好にするという新たな課題が指摘される。
【００１０】
本発明は、以上の通りの事情に鑑みてなされたものであり、外気温度の変化にともなう竪樋の伸縮を安定に吸収するとともに、伸縮筒部の経時的な劣化を抑え、しかも施工外観を良好にすることのできる伸縮竪樋継手を提供することを課題としている。
【課題を解決するための手段】
【００１１】
本発明は、上記の課題を解決するために、上下方向に延びる筒状の本体部の上端付近の内側に内周面から内側に向かって上側フランジ部が水平に突設され、上側フランジ部から本体部上端までの内側が上側竪樋との上側接続部とされ、上側フランジ部の下端面から本体部の下端側にかけての本体部内側に上下方向に伸縮可能な伸縮筒部が配設され、本体部の下端部内側に挿入された内筒部の外周面から外側に向かって水平な下側フランジ部が突設され、下側フランジ部の上端面に伸縮筒部の下端が接続され、下側フランジ部の外周側面が本体部の内周面に摺接し、内筒部は、伸縮筒部の上下方向の伸縮をともないながら本体部の内部を上下に摺動可能とされ、内筒部の下側フランジ部から下端までの外側が下側竪樋との下側接続部とされていることを特徴としている。
【発明の効果】
【００１２】
本発明によれば、上下方向に延びる筒状の本体部の上端付近の内側に内周面から内側に向かって上側フランジ部が水平に突設され、上側フランジ部から本体部上端までの内側が上側竪樋との上側接続部とされているので、上側接続部を上側竪樋の下端部外周に装着することができる。また、本体部の下端部内側には、内筒部が挿入され、内筒部において外周面から外側に向かって水平に突設された下側フランジ部から下端までの外側が下側竪樋との下側接続部とされているので、下側接続部を下側竪樋の上端部内周に装着することができる。こうして、上下に配置される２本の竪樋同士を接続することができる。
【００１３】
また、本発明によれば、上側フランジ部の下端面から本体部の下端側にかけての本体部内側に上下方向に伸縮可能な伸縮筒部が配設され、伸縮筒部の下端は下側フランジ部の上端面に接続されているので、内筒部は、伸縮筒部の上下方向の伸縮をともないながら本体部の内部を上下動可能であり、しかも、下側フランジ部の外周側面は本体部の内周面に摺接しているので、内筒部は本体部の内部を摺動し、したがって、下側竪樋が外気温度の変化にともなって伸縮する際には、内筒部が本体部の内部を上下に摺動するため、伸縮筒部により下側竪樋の伸縮を安定に吸収することができる。
【００１４】
そして、伸縮筒部は、本体部内側に配置されているので露出せず、風雨、寒暖の変化などの影響を直接受けることがないことから、伸縮筒部の経時的な劣化を十分抑えることができるとともに、施工外観を良好にすることができる。
【発明を実施するための最良の形態】
【００１５】
図１、図２は、それぞれ、本発明の伸縮竪樋継手の一実施形態を示した斜視図、断面図である。
【００１６】
図１および図２に示した伸縮竪樋継手１において、本体部２は、上下方向に延びる円筒である。本体部２の内径は、接続する丸筒状の上側竪樋３および下側竪樋４の外径に等しいかまたは上側竪樋３および下側竪樋４が外れない程度に若干大きくすることができる。
【００１７】
本体部２の上端付近の内側には、内周面５から内側に向かって円環状の上側フランジ部６が水平に突設されている。そして、本体部２では、上側フランジ部６から上端までの内側が上側竪樋３の上側接続部７とされている。このため、伸縮竪樋継手１は、上側接続部７において、上側竪樋３の下端部外周に装着することができる。装着状態では、上側竪樋３は、下端部外周面が上側接続部７の内周面に接触、密着などして固定され、下端が上側フランジ部６の上端面に当接または近接して配置される。上側竪樋３を伸縮竪樋継手１に強固に固定する場合には、接着剤を使用することができる。
【００１８】
また、伸縮竪樋継手１では、上側フランジ部６の下端面から本体部２の下端側にかけての本体部２の内側に蛇腹状の伸縮筒部８が配設されている。伸縮筒部８の最大外径は、本体部２の内径より小さく、伸縮筒部８は、図中に矢印で示したように、上下方向に伸縮可能となっている。このような伸縮筒部８は、たとえば、合成樹脂、ゴムなどの弾性を有する軟質の材料から形成することができ、上端は、上側フランジ部６の下端面と接着剤による接着によって接続されており、伸縮筒部８は、上端において上側フランジ部６に強固に固定されている。
【００１９】
さらに、伸縮竪樋継手１では、本体部２の下端部内側に円筒状の内筒部９が挿入されている。内筒部９の外径は、本体部２の内径より小さく、下側竪樋４の内径に等しいかまたは下側竪樋４が外れない程度に若干小さくすることができる。内筒部９には、長さ方向の中程または中程から上側に、外周面１０から外側に向かって水平な下側フランジ部１１が突設されている。そして、内筒部９では、下側フランジ部１１から下端までの外側が下側竪樋４との下側接続部１２とされている。このため、伸縮竪樋継手１は、下側接続部１２において、下側竪樋４の下端部内周に装着することができる。装着状態では、下側竪樋４は、下端部内周面が下側接続部１２の外周面に接触、密着などして固定され、上端が下側フランジ部１１の下端面に当接または近接して配置される。下側竪樋４を伸縮竪樋継手１に強固に固定する場合には、上側竪樋３と同様に接着剤を使用することができる。こうして、伸縮竪樋継手１は、上側竪樋３および下側竪樋４を接続することができる。
【００２０】
伸縮筒部８は、下端が下側フランジ部１１の上端面に接続されている。接続は、接着剤を使用した接着により実現されており、伸縮筒部８は、下端において下側フランジ部１１に強固に固定されている。このような伸縮筒部８の下端と下側フランジ部１１との接続によって、伸縮筒部８の上端が上側フランジ部６に接続されていることから、内筒部９は、伸縮筒部８の上下方向の伸縮をともないながら本体部２の内部を上下動可能となっている。
また、下側フランジ部１１の外径は、本体部２の内径にほぼ等しく、下側フランジ部１１の外周側面１３が本体部２の内周面５に摺接しており、したがって、内筒部９は、本体部２の内部を、伸縮筒部８の上下方向の伸縮をともないながら上下に摺動可能となっている。このため、伸縮竪樋継手１は、下側竪樋４が外気温度の変化にともなって伸縮する際には、内筒部９が本体部２の内部を上下に摺動し、したがって、伸縮筒部８により下側竪樋４の伸縮を安定に吸収することができる。しかも、下側竪樋４の上端部外周面は、本体部２の下端部側の内周面５に摺接可能でもあるので、下側竪樋４の伸縮は本体部２の内周面５でもガイドすることができ、下側竪樋４の伸縮は、より一層安定して伸縮筒部８において吸収することができる。
【００２１】
そして、伸縮竪樋継手１では、以上から明らかな通り、伸縮筒部８は、本体部２の内側に配置されているので露出しない。このため、伸縮筒部８は、風雨、寒暖の変化などの影響を直接受けることがないことから、伸縮筒部８の経時的な劣化を十分抑えることができる。また、蛇腹状の伸縮筒部８が露出しないので、伸縮筒部８が露出することによる外観上の違和感が解消され、円筒状の本体部２のみが、上側竪樋３および下側竪樋４の接続部に存在するだけであり、シンプルな外観が形成され、施工外観が良好となる。
【００２２】
なお、図２に示したように、下側フランジ部１１が内筒部９の上端に位置しない場合には、下側フランジ部１１から上端までの内筒部９は、伸縮筒部８の内側に挿入することができる。このような挿入が可能なように、伸縮筒部８の最短内径を内筒部９の外径より大きく設定しておく。
【００２３】
また、伸縮竪樋継手１によって上側竪樋３および下側竪樋４を接続した状態では、上側竪樋３と下側竪樋４とは、上側フランジ部６の開口１４、伸縮筒部８の内部および内筒部９の内部を通じて連通し、雨水の排水はスムーズに行われる。
【００２４】
さらに、上側フランジ部６を含めた本体部２および下側フランジ部１１を含めた内筒部９は、上側竪樋３および下側竪樋４と同様に、合成樹脂、金属などから形成することができる。好ましくは、外気温度の変化によってもあまり伸縮しない硬質の合成樹脂から形成することができる。また、これらの本体部２および内筒部９の形状は、接続する上側竪樋３および下側竪樋４の形状に対応して適宜定めることができ、角樋が上側竪樋３および下側竪樋４に採用される場合には、接続性、施工外観などを考慮しながら、角筒状などの適当な形状とすることができる。
【００２５】
さらにまた、以上の説明では、下側竪樋４の伸縮について言及したが、前述したように、竪樋は複数本が上下に接続されて施工されるので、図１および図２に示した上側竪樋３は、その上側に竪樋が存在し、伸縮竪樋継手１によって接続されているので、図１および図２図中に矢印で示した上側竪樋３の伸縮も、下側竪樋４の伸縮と同様に、上側竪樋３の上端部に位置する伸縮竪樋継手１に配設された伸縮筒部８によって安定して吸収することができる。
【図面の簡単な説明】
【００２６】
【図１】本発明の伸縮竪樋継手の一実施形態を示した斜視図である。
【図２】図１に示した伸縮竪樋継手の断面図である。
【符号の説明】
【００２７】
１  伸縮竪樋継手
２  本体部
３  上側竪樋
４  下側竪樋
５  内周面
６  上側フランジ部
７  上側接続部
８  伸縮筒部
９  内筒部
１０  外周面
１１  下側フランジ部
１２  下側接続部
１３  外周側面
【図１】
2009150127.tif 000003
【図２】
2009150127.tif 000004